(57)【要約】【課題】造形装置により適した方法で着色された造形物を適切に造形する。【解決手段】造形物５０を造形する造形方法であって、造形装置１００に合わせた形式で造形物５０を示す造形実行用データを生成する造形実行用データ生成段階と、造形実行用データに基づいて造形装置１００で造形物５０を造形する段階であり、少なくとも複数色の造形用の材料を用いて造形物５０を造形する造形実行段階とを備え、造形実行用データ生成段階は、少なくとも一部が着色された造形物５０を示す造形物データに基づいて造形実行用データを生成する段階であり、複数色の造形用の材料に合わせたプロファイルである造形材料用プロファイルを用いた色変換を少なくとも行うことで、造形実行用データを生成し、かつ、互いに異なる複数の造形材料用プロファイルを用いて、色変換を行う。【選択図】図１
2018043465.tif 000002
【特許請求の範囲】
【請求項１】
立体的な造形物を造形する造形方法であって、
造形の動作を実行する造形装置に合わせた形式で前記造形物を示すデータである造形実行用データを生成する造形実行用データ生成段階と、
前記造形実行用データに基づいて前記造形装置で前記造形物を造形する段階であり、少なくとも複数色の造形用の材料を用いて前記造形物を造形する造形実行段階と
を備え、
前記造形実行用データ生成段階は、
少なくとも一部が着色された前記造形物を示すデータである造形物データに基づいて前記造形実行用データを生成する段階であり、前記複数色の造形用の材料に合わせたプロファイルである造形材料用プロファイルを用いた色変換を少なくとも行うことで、前記造形実行用データを生成し、
かつ、互いに異なる複数の前記造形材料用プロファイルを用いて、前記色変換を行うことを特徴とする造形方法。
【請求項２】
前記造形実行用データ生成段階において、
一つの前記造形物を示す前記造形実行用データを生成する処理において、複数の前記造形材料用プロファイルを用いることを特徴とする請求項１に記載の造形方法。
【請求項３】
前記造形実行用データ生成段階において、前記複数の造形材料用プロファイルのそれぞれを、前記一つの造形物におけるそれぞれ異なる位置に対する色変換の処理で用いることを特徴とする請求項２に記載の造形方法。
【請求項４】
光を反射する性質の材料で形成される光反射領域と、前記光反射領域の外側に前記複数色の造形用の材料を用いて形成される着色領域とを有する前記造形物を造形し、
前記複数の造形材料用プロファイルのそれぞれは、前記着色領域のそれぞれ異なる厚みと対応付けられており、
前記造形実行段階において、前記造形装置は、前記着色領域の各部について、その部分に対する色変換に用いた前記造形材料用プロファイルに対応付けられている厚みで形成することを特徴とする請求項１から３のいずれかに記載の造形方法。
【請求項５】
前記造形材料用プロファイルは、Ｌａｂ値を前記複数色の造形用の材料で表現される色に変換するプロファイルであることを特徴とする請求項１から４のいずれかに記載の造形方法。
【請求項６】
前記造形実行用データ生成段階は、
前記造形物データにおいて表現されている色をＬａｂ値に変換する色変換を行う第１色変換段階と、
前記第１色変換段階で変換されたＬａｂ値に対して前記複数の造形材料用プロファイルに基づく色変換を行う第２色変換段階と
を有することを特徴とする請求項５に記載の造形方法。
【請求項７】
立体的な造形物を造形する造形システムであって、
造形の動作を実行する造形装置と、
前記造形装置に合わせた形式で前記造形物を示すデータである造形実行用データを生成する造形実行用データ生成装置と
を備え、
前記造形装置は、前記造形実行用データに基づいて前記造形物を造形する装置であり、少なくとも複数色の造形用の材料を用いて前記造形物を造形し、
前記造形実行用データ生成装置は、
少なくとも一部が着色された前記造形物を示すデータである造形物データに基づいて前記造形実行用データを生成する装置であり、前記複数色の造形用の材料に合わせたプロファイルである造形材料用プロファイルを用いた色変換を少なくとも行うことで、前記造形実行用データを生成し、
かつ、互いに異なる複数の前記造形材料用プロファイルを用いて、前記色変換を行うことを特徴とする造形システム。
【請求項８】
立体的な造形物を造形する造形装置であって、
前記造形装置に合わせた形式で前記造形物を示すデータである造形実行用データを生成する造形実行用データ生成装置から受け取る前記造形実行用データに基づいて、少なくとも複数色の造形用の材料を用いて前記造形物を造形し、
前記造形実行用データ生成装置は、
少なくとも一部が着色された前記造形物を示すデータである造形物データに基づいて前記造形実行用データを生成する装置であり、前記複数色の造形用の材料に合わせたプロファイルである造形材料用プロファイルを用いた色変換を少なくとも行うことで、前記造形実行用データを生成し、
かつ、互いに異なる複数の前記造形材料用プロファイルを用いて、前記色変換を行うことを特徴とする造形装置。
【請求項９】
光を反射する性質の材料で形成される光反射領域と、前記光反射領域の外側に前記複数色の造形用の材料を用いて形成される着色領域とを有する前記造形物を造形し、
前記複数の造形材料用プロファイルのそれぞれは、前記着色領域のそれぞれ異なる厚みと対応付けられており、
前記造形装置は、前記着色領域の各部について、その部分に対する色変換に用いた前記造形材料用プロファイルに対応付けられている厚みで形成することを特徴とする請求項８に記載の造形装置。
【発明の詳細な説明】
【技術分野】
【０００１】
本発明は、造形方法、造形システム、及び造形装置に関する。
【背景技術】
【０００２】
従来、インクジェットヘッドを用いて造形物を造形する造形装置（３Ｄプリンタ）が知られている（例えば、特許文献１参照。）。このような造形装置においては、例えば、インクジェットヘッドにより形成するインクの層を複数層重ねることにより、積層造形法で造形物を造形する。
【先行技術文献】
【特許文献】
【０００３】
【特許文献１】特開２０１５−７１２８２号公報
【発明の概要】
【発明が解決しようとする課題】
【０００４】
近年、造形装置を用いて行う造形の方法として、着色された造形物を造形することが検討されている。この場合、例えば互いに異なる複数色のインクを用いて造形物の表面を形成することにより、造形物を着色する。また、この場合、例えば２次元の画像を印刷するインクジェットプリンタでカラー印刷を行う場合と同様に、例えばＣ（シアン）、Ｍ（マゼンタ）、Ｙ（イエロー）、Ｋ（ブラック）等の複数色のインクを用いて様々な色を表現する。
【０００５】
しかし、造形装置で着色を行う場合、インクジェットプリンタと様々な条件が異なると考えられる。そのため、従来、造形装置により適した方法で着色された造形物を造形する方法が望まれていた。そこで、本発明は、上記の課題を解決できる造形方法、造形システム、及び造形装置を提供することを目的とする。
【課題を解決するための手段】
【０００６】
本願の発明者は、造形物に対する着色の仕方について、鋭意研究を行った。また、この鋭意研究において、例えば、インクジェットプリンタでカラー印刷を行う場合との相違点等に着目した。より具体的に、インクジェットプリンタでカラー印刷を行う場合、通常、光反射性の色の媒体（メディア）上にＣＭＹＫの各色のインクを吐出することにより、減法混色法でカラー印刷を行う。また、この場合、通常、各色のインクの吐出により、薄い１層のインクの層を媒体上に形成する。
【０００７】
一方、造形物の造形時に着色を行う場合、例えば、造形物において外部から視認できる表面の部分に着色領域を形成することにより、着色を行う。また、この場合、例えば、着色領域の内側に光反射性の領域を形成することで、インクジェットプリンタでのカラー印刷時と同様に、減法混色法で様々な色を表現する。また、造形物の造形時の場合、様々な向きから造形物が観察されることや、造形物の表面に割れや欠けがある程度生じても色が変化しにくくすること等を考慮して、通常、ある程度の厚み（厚さ）で着色領域を形成する。
【０００８】
しかし、本願の発明者は、鋭意研究により、着色領域を厚くする場合について、表現可能な色の範囲であるガマットのサイズが小さくなり、所望の色を適切に表現できなくなる場合があることを見出した。より具体的に、例えば、インクジェットプリンタでのカラー印刷時に形成するインクの層と比べて厚いインクの層を形成する場合、表現可能な色の明るさの範囲や、色の範囲が小さくなり、様々な色を適切に表現することが難しくなる場合があることを見出した。
【０００９】
これに対し、本願の発明者は、更なる鋭意研究により、造形の実行前に造形に用いる着色用のインクに合わせて行う色変換において、変換用のプロファイル（デバイスプロファイル）として複数のプロファイルを用いることで、造形物の造形時においてより多彩な色を表現し得ることを見出した。また、更なる鋭意研究により、このような効果を得るために必要な特徴を見出し、本発明に至った。
【００１０】
上記の課題を解決するために、本発明は、立体的な造形物を造形する造形方法であって、造形の動作を実行する造形装置に合わせた形式で前記造形物を示すデータである造形実行用データを生成する造形実行用データ生成段階と、前記造形実行用データに基づいて前記造形装置で前記造形物を造形する段階であり、少なくとも複数色の造形用の材料を用いて前記造形物を造形する造形実行段階とを備え、前記造形実行用データ生成段階は、少なくとも一部が着色された前記造形物を示すデータである造形物データに基づいて前記造形実行用データを生成する段階であり、前記複数色の造形用の材料に合わせたプロファイルである造形材料用プロファイルを用いた色変換を少なくとも行うことで、前記造形実行用データを生成し、かつ、互いに異なる複数の前記造形材料用プロファイルを用いて、前記色変換を行うことを特徴とする。
【００１１】
このように構成すれば、例えば、造形物の造形時において、より多彩な色を適切に表現できる。また、これにより、例えば、造形装置により適した方法で着色された造形物を適切に造形できる。
【００１２】
ここで、造形の材料としては、例えば、インクジェットヘッドから吐出する液体であるインク等を好適に用いることができる。また、このようなインクとしては、例えば、紫外線硬化型インクを好適に用いることができる。また、複数色の造形用の材料としては、例えば、ＣＭＹＫの各色の材料を好適に用いることができる。また、造形装置は、例えば、積層造形法で造形物を造形する。また、複数の造形材料用プロファイルのそれぞれとしては、例えば、色再現領域が互いに異なる複数のプロファイルを用いることが好ましい。また、この場合、ガマットのサイズが互いに異なる複数のプロファイル等を用いること考えられる。
【００１３】
また、この場合、複数の造形材料用プロファイルは、例えば、一つの造形物を示す造形実行用データを生成する処理において、互いに異なる位置に対する色変換の処理で用いる。このように構成すれば、例えば、造形物の各位置において表現する色に合わせて、その色を表現可能な造形材料用プロファイルを用いることができる。また、これにより、一つの造形材料用プロファイルでは造形物の全体の色を適切に表現できない場合にも、造形物全体の色をより適切に表現できる。
【００１４】
また、この造形方法において、造形装置では、例えば、光反射領域及び着色領域を有する造形物を造形する。また、この場合、着色領域は、例えば、光反射領域の外側に形成される。そして、このような構成においては、複数の造形材料用プロファイルとして、例えば、それぞれ異なる厚みで着色領域を形成する場合に用いるプロファイルを用いることが考えられる。この場合、複数の造形材料用プロファイルのそれぞれは、例えば、着色領域のそれぞれ異なる厚みと対応付けられている。着色領域の厚みとは、例えば、造形物の法線方向における厚みのことである。また、造形実行段階において、造形装置は、例えば、着色領域の各部について、その部分に対する色変換に用いた造形材料用プロファイルに対応付けられている厚みで形成する。このように構成した場合、例えば、造形物の位置によって着色領域の厚みを変えることにより、様々な色をより適切に表現できる。また、これにより、例えば、このような造形物の構成に適した色変換をより適切に行うことができる。
【００１５】
また、この構成において、造形材料用プロファイルとしては、例えば、Ｌａｂ値を複数色の造形用の材料で表現される色に変換するプロファイルを好適に用いることができる。また、この場合、造形実行用データ生成段階において、造形物データにおいて表現されている色をＬａｂ値に変換して、そのＬａｂ値に対し、複数の造形材料用プロファイルに基づく色変換を更に行う。このように構成すれば、例えば、複数の造形材料用プロファイルを用いた色変換を適切に行うことができる。
【００１６】
また、本発明に係る造形方法については、例えば、造形物の製造方法と考えることもできる。また、本発明の構成として、上記と同様の特徴を有する造形システムや造形装置等を用いることも考えられる。これらの場合も、例えば、上記と同様の効果を得ることができる。
【発明の効果】
【００１７】
本発明によれば、例えば、造形装置により適した方法で着色された造形物を適切に造形できる。
【図面の簡単な説明】
【００１８】
【図１】本発明の一実施形態に係る造形方法を実行する造形システム１０について説明をする図である。図１（ａ）は、造形システム１０の構成の一例を示す。図１（ｂ）は、造形装置１００により造形される造形物５０の構成の一例をサポート層７０と共に示す断面図である。
【図２】造形装置１００の一例について説明をする図である。図２（ａ）は、造形装置１００の要部の構成の一例を示す。図２（ｂ）は、ヘッド部１０２のより詳細な構成の一例を示す。
【図３】着色領域５６の厚みと着色領域５６で表現可能な色及び明るさとの範囲との関係について説明をする図である。図３（ａ）は、表現可能な色及び明るさの範囲を示すガマットの立体図である。図３（ｂ）は、着色領域５６により表現可能な色相及び彩度について更に詳しく説明する図である。
【図４】ホストＰＣ２００において行う色変換の処理の一例を示す図である。
【図５】造形システム１０により行う造形の動作の一例を示すフローチャートである。
【図６】図５に示すフローチャートにおける一部の動作を模式的に示す図である。図６（ａ）〜（ｃ）は、ホストＰＣ２００において行う動作の一部を模式的に示す。
【発明を実施するための形態】
【００１９】
以下、本発明に係る実施形態を、図面を参照しながら説明する。図１は、本発明の一実施形態に係る造形方法を実行する造形システム１０について説明をする図である。図１（ａ）は、造形システム１０の構成の一例を示す。
【００２０】
本例において、造形システム１０は、立体的な造形物を造形するシステムであり、造形装置１００及びホストＰＣ２００を備える。造形装置１００は、造形の動作を実行する造形装置（３Ｄプリンタ）であり、積層造形法により造形物を造形する。この場合、積層造形法とは、例えば、複数の層を重ねて造形物を造形する方法である。造形物とは、例えば、立体的な三次元構造物のことである。また、造形装置１００は、造形の材料として、所定の条件に応じて硬化するインクを用いる。造形装置１００のより具体的な構成等については、後に更に詳しく説明をする。
【００２１】
ホストＰＣ２００は、造形装置１００の動作を制御するコンピュータである。本例において、ホストＰＣ２００は、造形実行用データ生成装置の一例であり、造形しようとする造形物を示すデータである造形物データに基づき、造形装置１００に合わせた形式で造形物を示すデータである造形実行用データを生成する。また、生成した造形実行用データを造形装置１００へ供給することにより、造形装置１００に造形の動作を実行させる。ホストＰＣ２００において行うデータの処理等についても、後に更に詳しく説明をする。
【００２２】
尚、本例において、造形物データは、ユーザにより用意された３Ｄモデルのデータである。３Ｄモデルのデータとは、例えば、立体的なオブジェクトを示す３次元データのことである。造形物データとしては、造形装置１００の機種に依存しない汎用の３次元データを好適に用いることができる。
【００２３】
図１（ｂ）は、造形装置１００により造形される造形物５０の構成の一例をサポート層７０と共に示す断面図であり、積層造形法において造形の材料が積層される方向である積層方向（Ｚ方向）と垂直な平面による造形物５０の断面の構成を模式的に示す。また、図示した場合において、造形物５０は、楕円球状の立体物である。この場合、例えば図中のＸ方向やＹ方向と垂直な平面による造形物５０の断面の構成も、図示した構成と同一又は同様になる。また、より具体的に、本例において、造形物５０は、内部領域５２、光反射領域５４、及び着色領域５６を有する。これらの各領域は、造形物５０の内部から外部へ向かう方向へこの順番で並ぶように形成される。
【００２４】
尚、後に更に詳しく説明をするように、本例においては、着色領域５６について、均一な厚みではなく、位置によって厚みが異なるように形成する。しかし、図１（ｂ）においては、図示の便宜上、着色領域５６を均一の厚みで図示している、着色領域５６のより具体的な特徴については、後に更に詳しく説明をする。
【００２５】
内部領域５２は、造形物５０の形状を構成する造形物５０の内部の領域（モデル層）である。本例において、内部領域５２は、造形専用のインクである造形材インクを用いて形成される。また、内部領域５２は、造形材インク以外のインクを用いて形成してもよい。この場合、例えば、サポート層７０の材料以外の様々なインクを用いて内部領域５２を形成することが考えられる。より具体的には、例えば、着色用のインク（カラーインク）等を用いて内部領域５２を形成してもよい。また、例えば、白色のインクや、無色透明色（Ｔ色）のクリアインク等を用いて内部領域５２を形成してもよい。
【００２６】
光反射領域５４は、光を反射する性質の材料で形成される光反射性の領域であり、着色領域５６を介して造形物５０の表面側から入射する光を反射する。着色領域５６の内側に光反射領域５４を形成することにより、例えば、減法混色法での着色を適切に行うことができる。また、本例において、光反射領域５４は、白色（Ｗ色）のインクを用いて形成される。
【００２７】
着色領域５６は、着色用のインクにより着色がされる領域（表面カラー層）である。また、本例において、着色領域５６は、造形物５０の表面形状に沿った層状の領域であり、複数色の着色用のインクと、クリアインクとを用いて形成される。この場合、複数色の着色用のインクは、複数色の造形用の材料の一例である。また、着色用のインクとしては、例えば、シアン色（Ｃ色）、マゼンタ色（Ｍ色）、イエロー色（Ｙ色）、及びブラック色（Ｋ色）のインクを用いることが考えられる。これらの各色のインクは、プロセスカラーの各色のインクの一例である。また、着色用のインクとしては、これらの色のインクに限らず、他の色のインクを更に用いてもよい。例えば、白色のインク等の特色のインク等を更に用いてもよい。また、本例においては、着色領域５６の各位置に対する各色の着色用のインクの吐出量を調整することにより、様々な色を表現する。
【００２８】
尚、この場合、表現する色の違いによって、着色用のインクの合計量（単位体積あたりの吐出量）に差が生じる場合もある。そこで、本例においては、色の違いによって生じる着色用のインクの合計量の変化を補填するために、クリアインクを更に用いて着色領域５６を形成する。このように構成すれば、例えば、着色用のインクにより着色された着色領域５６を適切に形成できる。
【００２９】
また、図中に示すように、本例においては、必要に応じて、造形物５０の周囲にサポート層７０を形成する。この場合、サポート層７０とは、例えば、造形中の造形物５０の外周を囲むことで造形物５０を支持する積層構造物のことである。サポート層７０は、例えば水溶性の材料で形成される層であり、造形物５０の造形時において、必要に応じて形成され、造形の完了後に除去される。
【００３０】
尚、造形物５０の構成については、上記の構成に限らず、様々に変更可能である。例えば、内部領域５２について、光反射領域５４と区別せずに、一体に形成すること等も考えられる。この場合、例えば、白色のインク等の光反射性のインクを用いて、内部領域５２及び光反射領域５４を一体に形成する。また、造形物５０に求められる品質等に応じて、上記以外の領域を更に形成すること等も考えられる。この場合、例えば、光反射領域５４と着色領域５６との間にクリアインクで透明な領域（内部クリア領域）を形成すること等が考えられる。このような内部クリア領域を形成することにより、例えば、光反射領域５４と着色領域５６との間でインクの混色が生じることを適切に防ぐことができる。また、例えば着色領域５６の外側に、造形物５０の外面を保護するための透明な領域（表面クリア領域）を形成すること等も考えられる。このような表面クリア領域を形成することにより、例えば、着色領域５６等を適切に保護することができる。
【００３１】
続いて、造形装置１００のより具体的な構成等について、説明をする。図２は、造形装置１００の一例について説明をする図である。図２（ａ）は、造形装置１００の要部の構成の一例を示す。
【００３２】
尚、以下に説明をする点を除き、造形装置１００は、公知の造形装置と同一又は同様の構成を有してよい。より具体的に、以下に説明をする点を除き、造形装置１００は、例えば、インクジェットヘッドを用いて造形物５０の材料となる液滴を吐出することで造形を行う公知の造形装置と同一又は同様の構成を有してよい。また、造形装置１００は、図示した構成以外にも、例えば、造形物５０の造形や着色等に必要な各種構成を更に備えてよい。
【００３３】
本例において、造形装置１００は、ヘッド部１０２、造形台１０４、走査駆動部１０６、及び制御部１１０を備える。ヘッド部１０２は、造形物５０の材料となる液滴を吐出する部分であり、所定の条件に応じて硬化するインクのインク滴を吐出し、硬化させることにより、造形物５０を構成する各層を重ねて形成する。この場合、インクとは、例えば、インクジェットヘッドから吐出する液体のことである。インクジェットヘッドとは、例えば、インクジェット方式でインクの液滴（インク滴）を吐出する吐出ヘッドのことである。また、本例において、ヘッド部１０２は、複数のインクジェットヘッドと、紫外線光源とを有する。ヘッド部１０２のより具体的な構成については、後に詳しく説明をする。
【００３４】
造形台１０４は、造形中の造形物５０を支持する台状部材であり、ヘッド部１０２におけるインクジェットヘッドと対向する位置に配設され、造形中の造形物５０を上面に載置する。また、本例において、造形台１０４は、少なくとも上面が積層方向へ移動可能な構成を有しており、走査駆動部１０６に駆動されることにより、造形物５０の造形の進行に合わせて、少なくとも上面が移動する。また、本例において、積層方向は、造形装置１００において予め設定される主走査方向（図中のＹ方向）及び副走査方向（図中のＸ方向）と直交する方向（図中のＺ方向）である。
【００３５】
走査駆動部１０６は、造形中の造形物５０に対して相対的に移動する走査動作をヘッド部１０２に行わせる駆動部である。この場合、造形中の造形物５０に対して相対的に移動するとは、例えば、造形台１０４に対して相対的に移動することである。また、ヘッド部１０２に走査動作を行わせるとは、例えば、ヘッド部１０２が有するインクジェットヘッドに走査動作を行わせることである。また、本例において、走査駆動部１０６は、主走査動作（Ｙ走査）、副走査動作（Ｘ走査）、及び積層方向走査（Ｚ走査）をヘッド部１０２に行わせる。
【００３６】
主走査動作とは、例えば、主走査方向へ移動しつつインクを吐出する動作のことである。本例において、走査駆動部１０６は、主走査方向における造形台１０４の位置を固定して、ヘッド部１０２の側を移動させることにより、ヘッド部１０２に主走査動作を行わせる。造形装置１００の構成の変形例においては、例えば、主走査方向におけるヘッド部１０２の位置を固定して、例えば造形台１０４を移動させることにより、造形物５０の側を移動させてもよい。
【００３７】
また、以下において詳しく説明をするように、本例において、ヘッド部１０２は、紫外線光源を更に有する。そして、主走査動作時において、走査駆動部１０６は、ヘッド部１０２における紫外線光源の駆動を更に行う。より具体的に、走査駆動部１０６は、例えば、主走査動作時に紫外線光源を点灯させることにより、造形物５０の被造形面に着弾したインクを硬化させる。造形物５０の被造形面とは、例えば、ヘッド部１０２により次のインクの層が形成される面のことである。
【００３８】
また、副走査動作とは、例えば、主走査方向と直交する副走査方向へ造形台１０４に対して相対的に移動する動作のことである。より具体的に、副走査動作は、例えば、予め設定された送り量だけ副走査方向へ造形台１０４に対して相対的に移動する動作である。また、本例において、走査駆動部１０６は、主走査動作の合間に、ヘッド部１０２に副走査動作を行わせる。この場合、走査駆動部１０６は、例えば、副走査方向におけるヘッド部１０２の位置を固定して、造形台１０４を移動させることにより、ヘッド部１０２に副走査動作を行わせる。また、走査駆動部１０６は、副走査方向における造形台１０４の位置を固定して、ヘッド部１０２を移動させることにより、ヘッド部１０２に副走査動作を行わせてもよい。また、走査駆動部１０６は、造形しようとする造形物５０の大きさに応じて、必要な場合にのみヘッド部１０２に副走査動作を行わせる。そのため、例えばサイズの小さな造形物５０を造形する場合等には、副走査動作を行わずに造形物５０を造形してもよい。
【００３９】
また、積層方向走査とは、例えば、積層方向へヘッド部１０２又は造形台１０４の少なくとも一方を移動させることで造形物５０に対して相対的に積層方向へヘッド部１０２を移動させる動作のことである。この場合、積層方向へヘッド部１０２を移動させるとは、例えば、ヘッド部１０２における少なくともインクジェットヘッドを積層方向へ移動させることである。また、積層方向へ造形台１０４を移動させるとは、例えば、造形台１０４における少なくとも上面の位置を移動させることである。
【００４０】
また、走査駆動部１０６は、造形の動作の進行に合わせてヘッド部１０２に積層方向走査を行わせることにより、積層方向において、造形中の造形物５０に対するインクジェットヘッドの相対位置を調整する。また、より具体的に、本例において、走査駆動部１０６は、積層方向におけるヘッド部１０２の位置を固定して、造形台１０４を移動させる。走査駆動部１０６は、積層方向における造形台１０４の位置を固定して、ヘッド部１０２を移動させてもよい。
【００４１】
制御部１１０は、例えば造形装置１００のＣＰＵであり、造形装置１００の各部を制御することにより、造形物５０の造形の動作を制御する。この場合、制御部１１０は、例えば造形しようとする造形物５０の形状情報や、カラー画像情報等に基づき、造形装置１００の各部を制御する。また、より具体的に、本例において、造形装置１００は、ホストＰＣ２００（図１参照）から受け取る造形実行用データに従って造形を行うことにより、造形物５０を造形する。造形装置１００が受け取る造形実行用データについては、ホストＰＣ２００の動作の説明等の中で、後に更に詳しく説明をする。本例によれば、造形物５０を適切に造形できる。
【００４２】
続いて、ヘッド部１０２のより具体的な構成について、説明をする。図２（ｂ）は、ヘッド部１０２のより詳細な構成の一例を示す。本例において、ヘッド部１０２は、複数のインクジェットヘッド２０２ｓ、２０２ｍｏ、２０２ｗ、２０２ｃ、２０２ｍ、２０２ｙ、２０２ｋ、２０２ｔ（以下、インクジェットヘッド２０２ｓ〜ｔという）、複数の紫外線光源２０４、及び平坦化ローラ２０６を有する。
【００４３】
インクジェットヘッド２０２ｓ〜ｔは、インクジェット方式でインク滴を吐出する吐出ヘッドである。また、本例において、インクジェットヘッド２０２ｓ〜ｔは、紫外線硬化型インクのインク滴を吐出するインクジェットヘッドであり、副走査方向（Ｘ方向）における位置を揃えて、主走査方向（Ｙ方向）へ並んで配設される。この場合、紫外線硬化型インクとは、例えば、紫外線の照射に応じて硬化するインクのことである。インクジェットヘッド２０２ｓ〜ｔとしては、例えば、公知のインクジェットヘッドを好適に用いることができる。また、これらのインクジェットヘッドは、例えば、造形台１０４と対向する面に、複数のノズルが副走査方向へ並ぶノズル列を有する。
【００４４】
尚、インクジェットヘッド２０２ｓ〜ｔの並び方については、図示した構成に限らず、様々に変更してもよい。例えば、一部のインクジェットヘッドについて、他のインクジェットヘッドと副走査方向における位置をずらして配設してもよい。また、ヘッド部１０２は、他の色用のインクジェットヘッドを更に有してもよい。
【００４５】
インクジェットヘッド２０２ｓは、サポート層７０の材料を含むインク滴を吐出するインクジェットヘッドである。サポート層７０の材料としては、例えば、造形物５０の造形後に水で溶解可能な水溶性の材料を好適に用いることができる。また、この場合、造形物５０の造形に用いる造形用の材料よりも紫外線による硬化度が弱く、分解しやすい材料を用いることが好ましい。また、より具体的に、サポート層７０の材料としては、例えば、サポート層用の公知の材料を好適に用いることができる。
【００４６】
インクジェットヘッド２０２ｍｏは、所定の色の造形材インク（モデル材ＭＯ）のインク滴を吐出するインクジェットヘッドである。また、インクジェットヘッド２０２ｗは、白色（Ｗ）のインクのインク滴を吐出するインクジェットヘッドである。
【００４７】
複数のインクジェットヘッド２０２ｃ、２０２ｍ、２０２ｙ、２０２ｋ（以下、インクジェットヘッド２０２ｃ〜ｋという）のそれぞれは、着色用の有彩色のインクのインク滴を吐出するインクジェットヘッドである。本例において、インクジェットヘッド２０２ｃ〜ｋは、ＣＭＹＫの各色の紫外線硬化型インクのインク滴を吐出する。また、インクジェットヘッド２０２ｔは、クリアインクのインク滴を吐出するインクジェットヘッドである。
【００４８】
複数の紫外線光源２０４は、インクを硬化させるための構成であり、紫外線硬化型インクを硬化させる紫外線を発生する。紫外線光源２０４としては、例えば、ＵＶＬＥＤ（紫外ＬＥＤ）等を好適に用いることができる。また、紫外線光源２０４として、メタルハライドランプや水銀ランプ等を用いることも考えられる。また、本例において、複数の紫外線光源２０４のそれぞれは、間にインクジェットヘッドの並び（インクジェットヘッド２０２ｓ〜ｔ）を挟むように、ヘッド部１０２における主走査方向の一端側及び他端側のそれぞれに配設される。
【００４９】
平坦化ローラ２０６は、造形物５０の造形中に形成されるインクの層を平坦化するための平坦化手段（平坦化部）である。本例において、平坦化ローラ２０６は、例えば、インクジェットヘッドの並びと、紫外線光源２０４との間に配設される。平坦化ローラ２０６を用いることにより、例えば、積層造形法において積層するインクの層を平坦化して、インクの層の厚みを高い精度で適切に調整できる。また、これにより、例えば、積層造形法での造形の動作を高い精度で適切に行うことができる。
【００５０】
続いて、ホストＰＣ２００において行うデータの処理等について、更に詳しく説明をする。以下において説明をする動作は、例えば図１（ｂ）を用いて説明をしたような、表面が着色された造形物５０を造形する場合の動作である。また、ホストＰＣ２００において行うデータの処理等に関連して、先ず、造形物５０における着色領域５６を造形装置１００で形成することで表現可能な色の範囲について、説明をする。
【００５１】
上記においても説明をしたように、着色された造形物５０を積層造形法で造形する場合、光反射領域５４の周りに着色用のインクで着色領域５６を形成することにより、減法混色法で様々な色を表現する。そして、この場合、造形物５０の外部から着色領域５６へ入射した光は、光反射領域５４で反射されて、造形物５０の外部へ出射することになる。そのため、着色領域５６により表現可能な色や明るさの範囲は、着色領域５６の透過時に吸収される光の量の影響を受けることになる。
【００５２】
また、造形物５０を造形する場合、様々な向きから造形物５０が観察されることや、造形物５０の表面に割れや欠けがある程度生じても色が変化しにくくすること等を考慮して、通常、ある程度の厚みで着色領域５６を形成する。そのため、着色された造形物５０の造形時には、着色領域５６での光の吸収量が大きくなり、表現可能な色や明るさの範囲への影響が大きくなることも考えられる。
【００５３】
図３は、着色領域５６の厚みと着色領域５６で表現可能な色及び明るさとの範囲との関係について説明をする図である。図３（ａ）は、表現可能な色及び明るさの範囲を示すガマット（色域）の立体図であり、着色領域５６の厚みを様々に異ならせた場合について、ガマットの一例を示す。また、図示した場合においては、着色領域５６の厚みについて、３００μｍ、１５０μｍ、及び７５μｍのそれぞれに設定している。また、ガマットについては、Ｌａｂ表色系で示している。そして、図３（ａ）における一番右側の比較図においては、それぞれの厚みに対応するガマットを重ねて示している。
【００５４】
図中に示すように、着色領域５６の厚みを様々に異ならせた場合、ガマットの範囲やサイズが変化する。また、この場合、ガマット内に入るＬ値の範囲については、着色領域５６の厚みが薄い程大きくなる傾向がある。そのため、明るい色を表現するためには、着色領域５６を薄くすることが好ましいといえる。また、暗い色を表現するためには、着色領域５６を厚くすることが好ましいといえる。また、着色領域５６の厚みを様々に異ならせた場合、表現可能な色相や彩度も変化する。より具体的には、例えば、図中に示すように、着色領域５６を薄くした場合、表現可能な色相や彩度の範囲が狭くなる傾向がある。
【００５５】
図３（ｂ）は、着色領域５６により表現可能な色相及び彩度について更に詳しく説明する図であり、Ｌ値を２５、５０、及び７５のそれぞれに固定した場合について、ａｂ平面でのガマットの断面図により、着色領域５６のそれぞれの厚みにおいて表現可能な色度の範囲の一例を示す。図中に示すように、着色領域５６の厚みを３００μｍ、１５０μｍ、及び７５μｍの厚みの中から選ぶ場合において、Ｌ値を２５に固定すると、厚みが３００μｍの場合にのみ色の表現が可能になる。また、Ｌ値を５０に固定すると、厚みが３００μｍ及び１５０μｍの場合に、色の表現が可能になる。そして、この場合、それぞれの厚みで表現可能な色相及び彩度の範囲は異なっている。また、この場合、概ね、３００μｍの場合の方が広い範囲になっている。また、Ｌ値を７５に固定すると、厚みが３００μｍ、１５０μｍ、７５μｍのいずれの場合も、色の表現が可能になる。そして、この場合、それぞれの厚みで表現可能な色相及び彩度の範囲は異なっている。また、この場合、概ね、着色領域５６の厚みが厚い程、表現可能な色相及び彩度の範囲が広くなっている。
【００５６】
以上のように、着色領域５６で表現可能な色及び明るさの範囲は、着色領域５６の厚みによって、様々に変化する。そのため、着色された造形物５０を造形する場合、着色領域５６の厚みをどのように設定するかが重要になる。
【００５７】
これに対し、本願の発明者は、上記においても説明をしたように、着色領域５６について、均一な厚みではなく、位置によって厚みが異なるように形成することを考えた。また、そのように着色領域５６を形成する方法として、より具体的に、複数のデバイスプロファイルを用いて色変換を行うことを考えた。そこで、以下、本例において行う色変換の処理等について、説明をする。
【００５８】
図４は、ホストＰＣ２００（図１参照）において行う色変換の処理の一例を示す図であり、ホストＰＣ２００において行う処理のうち、色変換に関連する処理（カラー化処理フロー）に着目して、処理の概要を示す。上記においても説明をしたように、本例において、ホストＰＣ２００は、造形しようとする造形物５０（図１参照）を示す造形物データに基づき、造形装置１００（図１参照）に合わせた形式で造形物５０を示す造形実行用データを生成する。また、より具体的に、着色された造形物５０を造形装置１００で造形する場合、ホストＰＣ２００は、少なくとも一部が着色された造形物５０を示す造形物データに対して色変換等を行い、造形装置１００に合わせた形式で色が表現された造形実行用データを生成する。
【００５９】
また、この場合、色変換を行う前の造形物データとしては、例えば、造形装置１００に依存しない形式で色が表現されたデータを用いる。また、このような造形物データにおいて、色の表現は、ＲＧＢ表色系又はＣＭＹＫ表色系等の任意の表色系で行うことができる。
【００６０】
そして、本例において、ホストＰＣ２００は、このような造形物データにおいて表現されている色に対し、予め用意された入力プロファイルに基づき、Ｌａｂ表色系への色変換を行う。この場合、プロファイルとは、例えば、入出力される色と色空間とを対応付けるデータのことである。また、より具体的に、プロファイルとしては、ＩＣＣプロファイルを好適に用いることができる。また、本例において、入力プロファイルとしては、造形物データにおいて使用されている色とＬａｂ表色系の色空間とを対応付けるプロファイルを用いる。また、これにより、例えばＲＧＢ表色系又はＣＭＹＫ表色系で造形物データにおいて表現されている色を、Ｌａｂ表色系で表現される色に変換する。
【００６１】
また、Ｌａｂ表色系への色変換を行った後、ホストＰＣ２００は、更に、造形装置１００の特性に合わせて予め用意されたデバイスプロファイルを用いて、造形装置１００で使用する着色用インクの色に合わせた色変換を行う。また、この場合、デバイスプロファイルとして、図中にデバイスプロファイル１〜３として示すように、互いに異なる複数のプロファイルを使用する。
【００６２】
ここで、デバイスプロファイル１〜３は、複数の造形材料用プロファイルの一例である。また、造形材料用プロファイルとは、複数色の造形用の材料に合わせたプロファイルのことである。また、本例において、複数色の造形用の材料とは、着色用のインクとして用いるＣＭＹＫの各色のインクのことである。また、この場合、デバイスプロファイル１〜３としては、着色用のインクで表現される色にＬａｂ値を変換するプロファイルを用いる。着色用のインクで表現される色にＬａｂ値を変換するプロファイルとは、例えば、Ｌａｂ表色系における色空間でのＬａｂ値と着色用のインクで表現される色とを対応付けるプロファイルのことである。また、より具体的に、本例において、デバイスプロファイル１〜３のそれぞれとしては、図中に示すように、Ｌａｂ表色系の色空間を着色用のインクの色に対応するＣＭＹＫ表色系の色に対応付けるプロファイルを用いる。
【００６３】
また、この場合、デバイスプロファイル１〜３としては、色再現領域が互いに異なる複数のプロファイルを用いる。プロファイルの色再現領域が互いに異なるとは、例えば、デバイス側（造形装置１００側）で表現可能な色の範囲が互いに異なることである。また、より具体的に、本例においては、デバイスプロファイル１〜３として、互いに異なる厚みの着色領域５６（図１参照）と対応付けられているプロファイルを用いる。この場合、対応する着色領域５６の厚みが異なることにより、デバイスプロファイル１〜３は、ガマットの範囲やサイズが互いに異なるプロファイルになる。
【００６４】
尚、プロファイルが対応付けられる着色領域５６の厚みとは、そのプロファイルを用いる場合に形成すべき着色領域５６の厚みのことである。また、着色領域５６の厚みとは、造形物５０の法線方向における厚みのことである。また、造形物５０の法線方向とは、造形物５０の表面の各位置において表面と直交する方向のことである。
【００６５】
また、本例においては、一つの造形物を示す造形実行用データを生成する処理において、複数のデバイスプロファイル（デバイスプロファイル１〜３）を使用する。この場合、互いに異なる位置に対する色変換の処理において、デバイスプロファイル１〜３のそれぞれを使用する。
【００６６】
また、この場合、ホストＰＣ２００は、着色領域５６の各位置に対する色変換の処理に用いたデバイスプロファイルに応じて、その位置における着色領域５６の厚みを更に設定する。より具体的には、着色領域５６の厚みについて、デバイスプロファイルに対応付けられている厚みに設定する。また、これにより、ホストＰＣ２００は、造形実行用データとして、ＣＭＹＫ表色系で表現される色と厚みとが着色領域５６の各位置に対して設定されているデータを生成する。
【００６７】
このように構成すれば、例えば、造形物５０の各位置において表現する色に合わせて、その色を表現可能なデバイスプロファイルをより適切に用いることができる。また、これにより、例えば一つのデバイスプロファイルのみでは造形物５０の全体の色を適切に表現できない場合にも、造形物５０の全体の色をより適切に表現できる。
【００６８】
続いて、造形システム１０により行う造形の動作について、更に詳しく説明をする。図５及び図６は、造形システム１０により行う造形の動作の一例を示す。図５は、造形システム１０により行う造形の動作の一例を示すフローチャートである。図６は、図５に示すフローチャートにおける一部の動作を模式的に示す図である。図６（ａ）〜（ｃ）は、ホストＰＣ２００において行う動作の一部を模式的に示す。
【００６９】
尚、図６では、フローチャートにおける各動作のタイミングに関し、造形物データに対する所定の処理により得られる３Ｄモデルの断面形状について、模式的に示している。また、図６においては、図示の便宜上、図１（ｂ）に示した場合とは異なる形状の造形物５０を造形する場合について、造形物５０の上面側の一部を省略して、下面及び側面の一部を含む断面図を示している。この場合、上面及び下面とは、積層方向における上側及び下側の面のことである。また、側面とは、例えば、上面と下面とをつなぐ面のことである。
【００７０】
以下、フローチャート中の各動作について、説明をする。本例において、造形システム１０は、ホストＰＣ２００において、造形物データに基づき、造形実行用データの生成を行う（Ｓ１００）。このステップＳ１００は、造形実行用データ生成段階の一例である。また、ステップＳ１００の動作の中で、ホストＰＣ２００は、図４等を用いて説明をした色変換の処理を行う。
【００７１】
また、ステップＳ１００において、ホストＰＣ２００は、先ず、造形しようとする造形物５０の表面に対する法線ベクトルの算出を行う（Ｓ１０２）。より具体的に、この動作では、例えば図６（ａ）に示すように、造形物データにより示される３Ｄモデルの各面に対し、反転法線ベクトルを求める。
【００７２】
この場合、３Ｄモデルの各面とは、３Ｄモデルの外周面のことである。また、各面に対して反転法線ベクトルを求めるとは、３Ｄモデルの外周面を構成する各位置に対し、その位置において外周面と直交する反転法線ベクトルを求めることである。また、反転法線ベクトルとは、例えば図６（ａ）に矢印で示すように、３Ｄモデルの外周面と直交し、かつ、３Ｄモデルの内側へ向かうベクトル（反転した面法線ベクトル）のことである。
【００７３】
ここで、図６（ａ）に示す３Ｄモデルは、色変換を行う前の造形物データにより示される３Ｄモデルであり、その表面には、着色領域３０２が設定されている。この着色領域３０２は、３Ｄモデルの表面において着色がされている領域であり、例えばＲＧＢ表色系又はＣＭＹＫ表色系等の色を示す色情報が付されることにより、着色がされている。
【００７４】
尚、造形の実行時において、造形装置１００は、着色領域３０２に基づき、造形物５０の着色領域５６（図１参照）を形成する。この場合、着色領域３０２に基づいて着色領域５６を形成するとは、以下において説明をする色変換の処理等を行った後の着色領域３０２に基づいて着色領域５６を形成することである。また、図６（ａ）においては、図示及び説明の便宜上、着色領域３０２内に、複数の領域４０２、４０４、４０６を示している。しかし、これらの領域は、後に行う色変換の処理において設定する領域である。
【００７５】
続いて、色変換の処理と、着色領域３０２の厚み（幅）の算出とを行う（Ｓ１０４）。この場合、色変換の処理とは、例えば、図４を用いて説明をした色変換の処理のことである。また、着色領域３０２の厚みの算出とは、例えば、着色領域３０２の各位置の法線方向における厚みについて、ステップＳ１０２で求められた反転法線ベクトルを利用して、色変換に使用したデバイスプロファイルに対応する厚みに調整することである。
【００７６】
ここで、図４等を用いて上記においても説明をしたように、本例において、ホストＰＣ２００は、造形物データにおいて設定されているＲＧＢ表色系又はＣＭＹＫ表色系等で設定されている色に対し、入力プロファイルに基づき、Ｌａｂ表色系への色変換を行う。また、変換後のＬａｂ表色系の色に対し、複数のデバイスプロファイル（デバイスプロファイル１〜３）に基づき、ＣＭＹＫ表色系への色変換を行う。
【００７７】
そして、この場合、入力プロファイルを用いて行う色変換は、第１色変換段階の動作の一例である。第１色変換段階とは、例えば、造形物データにおいて表現されている色をＬａｂ値に変換する色変換を行う段階のことである。また、また、複数のデバイスプロファイルを用いて行う色変換は、第２色変換段階の動作の一例である。第２色変換段階とは、例えば、第１色変換段階で変換されたＬａｂ値に対して複数のデバイスプロファイルに基づく色変換を行う段階のことである。
【００７８】
また、本例においては、Ｌａｂ表色系への色変換を行った後、ＣＭＹＫ表色系への色変換を行う前に、例えば図６（ａ）に示すように、着色領域３０２を複数の領域４０２、４０４、４０６に分割する。この場合、複数の領域４０２、４０４、４０６のそれぞれは、後に行うＣＭＹＫ表色系への色変換において互いに異なるデバイスプロファイルを用いる領域である。また、領域４０２は、例えば、複数のデバイスプロファイル１〜３のうち、デバイスプロファイル１を用いて色変換を行う領域である。また、領域４０４は、例えば、デバイスプロファイル２を用いて色変換を行う領域である。領域４０６は、例えば、デバイスプロファイル３を用いて色変換を行う領域である。また、ホストＰＣ２００は、例えば、予め設定されている色の範囲に基づき、着色領域３０２を複数の領域４０２、４０４、４０６に分割する。この場合、色の範囲とは、例えば、それぞれのデバイスプロファイルに対してＬａｂ表色系で予め設定される色の範囲である。
【００７９】
また、上記においても説明をしたように、本例において、ＣＭＹＫ表色系への色変換に用いる複数のデバイスプロファイルのそれぞれは、造形時に形成される着色領域５６の厚みについて、互いに異なる厚みと対応付けられている。そのため、３Ｄモデルにおける着色領域３０２の厚みの算出において、ホストＰＣ２００は、着色領域３０２の各位置に対して行う色変換に用いるデバイスプロファイルに合わせて、着色領域３０２の厚みを設定する。この場合、デバイスプロファイルに合わせて着色領域３０２の厚みを設定するとは、例えば、３Ｄモデルにおける着色領域３０２に基づいて造形物５０の着色領域５６を形成した場合に、着色領域５６の厚みがデバイスプロファイルに対応して設定されている厚みになるように、着色領域３０２の厚みを設定することである。
【００８０】
また、より具体的に、本例において、ホストＰＣ２００は、着色領域３０２における複数の領域４０２、４０４、４０６のそれぞれの厚みについて、各領域に対する色変換に用いるデバイスプロファイルに合わせて厚みを設定する。また、これにより、例えば図６（ｂ）に示すように、複数の領域４０２、４０４、４０６の厚みを互いに異ならせる。
【００８１】
また、本例においては、例えば、ステップＳ１０４で行う処理の中で、３Ｄモデルに対し、光反射領域３０４及び内部領域３０６を設定する。光反射領域３０４及び内部領域３０６は、造形物５０における内部領域５２及び光反射領域５４に対応する領域である。この場合、ホストＰＣ２００は、例えば、３Ｄモデルにおける着色領域３０２の内側に、予め設定された厚みの光反射領域３０４を設定する。また、光反射領域３０４の内側に内部領域３０６を設定する。
【００８２】
尚、光反射領域３０４の各部の厚みについては、例えば図中に示すように、光反射領域３０４の厚みと着色領域３０２の厚みとの合計を一定の厚みにして、着色領域３０２の各部の厚みの合わせて異ならせることが考えられる。また、ホストＰＣ２００の動作の変形例においては、光反射領域３０４の各部の厚みについて、例えば、その外側に形成される着色領域３０２の厚みによらず、一定の厚みに設定してもよい。
【００８３】
また、ステップＳ１０４で行う色変換等の処理に続いて、ホストＰＣ２００は、処理後の３Ｄモデルに基づき、スライス画像の生成を行う（Ｓ１０６）。この場合、スライス画像を生成するとは、例えば、３Ｄモデルを一定の間隔で輪切り状にしたデータであるスライスデータを生成することである。また、スライス画像とは、例えば、スライスデータに対応して生成されるインクの層で表現される画像のことである。より具体的に、この動作においては、例えば図６（ｃ）に示すように、造形装置１００において形成するインクの層の厚み（インクの積層サイズ）の間隔で３Ｄモデルをスライスすることで、スライス画像を生成する。また、これにより、造形物データに基づき、積層方向における互いに異なる位置の断面をそれぞれ示す複数のスライス画像を生成する。
【００８４】
また、スライス画像の生成後、生成された各スライス画像に基づき、３Ｄモデルのコマンド化を行う（Ｓ１０８）。この場合、コマンド化とは、造形を実行する造形装置１００で実行可能な形式に３Ｄモデルのデータを変換する処理のことであり、それぞれのスライス画像について、造形装置１００での造形が可能な形式のデータに変換する。また、これにより、ホストＰＣ２００は、造形装置１００に合わせた形式で造形物５０を示す造形実行用データを生成する。
【００８５】
尚、この場合、コマンド化されたスライス画像は、例えば、造形装置１００において造形時に使用するインクが各画素に対して指定されたデータになる。また、造形実行用データは、例えば、コマンド化された複数のスライス画像により構成される。
【００８６】
また、ステップＳ１０８の実行後、ホストＰＣ２００は、生成した造形実行用データを、造形装置１００へ供給する。また、これにより、造形装置１００は、造形実行用データに基づく造形の動作（積層動作）を実行する（Ｓ１１０）。本例において、ステップＳ１１０は、造形実行段階の一例である。
【００８７】
また、より具体的に、ステップＳ１１０において、造形装置１００は、ホストＰＣ２００から受け取る造形実行用データに基づいて造形の材料を吐出することにより、造形物５０を構成する複数のインクの層を一層ずつ積層して、積層造形法で造形物５０を造形する。また、この場合、造形装置１００は、造形実行用データにおける着色領域３０２に対応するデータに基づき、複数色の着色用のインクを用いて、造形物５０における着色領域５６を形成する。また、この場合、造形装置１００は、造形実行用データに基づいて積層動作を実行することにより、着色領域５６の各部について、その部分に対する色変換に用いたデバイスプロファイルに対応付けられている厚みで形成する。
【００８８】
以上のように、本例においては、ホストＰＣ２００におけるデータの処理と、造形装置１００による積層動作とを行うことにより、表面がカラー着色された造形物５０を製造する。また、この場合、ホストＰＣ２００において行う色変換の処理において互いに異なる複数のデバイスプロファイルを用いることにより、造形物５０における着色領域５６について、位置によって着色領域の厚みを異ならせることができる。また、これにより、着色領域５６の各部について、その部分に着色する色に適した厚みで形成することができる。
【００８９】
そのため、本例によれば、例えば、着色された造形物５０を造形する場合において、より多彩な色を適切に表現できる。また、これにより、例えば、着色された造形物５０をより適切に造形できる。
【００９０】
尚、上記において説明をしたフローチャートの動作において、例えばスライス画像を生成するステップＳ１０６までの動作は、例えば、造形装置１００の機種等に依存しないデータを用いて行うことが考えられる。また、コマンド化を行うステップＳ１０８以降の動作では、造形装置１００の機種等に合わせた形式のデータを用いることが好ましい。また、上記においては、ステップＳ１００の動作をホストＰＣ２００が実行し、ステップＳ１１０の動作を造形装置１００が実行する場合について、説明をした。しかし、造形システム１０の動作の変形例においては、例えば、ステップＳ１００における一部又は全体の動作について、造形装置１００で行うことも考えられる。
【００９１】
また、上記においては、複数のデバイスプロファイルを用いて造形を行う動作に関し、主に、使用するデバイスプロファイルに合わせて造形物５０における着色領域５６の厚みを異ならせる場合について、説明をした。しかし、本例において行う造形の動作の特徴について、より一般化して考えた場合、造形物５０における着色領域５６の厚みを位置によって異ならせる場合に限らず、複数のデバイスプロファイルを用いて造形を行う点に着目して考えることもできる。この場合、例えば、着色領域５６の位置によって使用するインクの色又は組み合わせ等を異ならせ、その色又は組み合わせ等に合わせた複数のデバイスプロファイルを用いること等も考えられる。より具体的には、例えば、着色用のインクとして、ＣＭＹＫの各色以外に、少なくとも一部の色（例えばＣ色及びＭ色等）の淡色（ライト色）のインクを更に用い、かつ、着色領域５６の一部の着色のみに淡色のインクを用いる場合等が考えられる。この場合、複数のデバイスプロファイルとして、例えば、淡色のインクを用いずに着色する部分の色変換に用いるデバイスプロファイルと、淡色のインクを用いて着色する部分の色変換に用いるデバイスプロファイルとを用いることが考えられる。
【産業上の利用可能性】
【００９２】
本発明は、例えば、造形物の造形方法に好適に用いることができる。
【符号の説明】
【００９３】
１０・・・造形システム、５０・・・造形物、５２・・・内部領域、５４・・・光反射領域、５６・・・着色領域、７０・・・サポート層、１００・・・造形装置、１０２・・・ヘッド部、１０４・・・造形台、１０６・・・走査駆動部、１１０・・・制御部、２００・・・ホストＰＣ、２０２・・・インクジェットヘッド、２０４・・・紫外線光源、２０６・・・平坦化ローラ、３０２・・・着色領域、３０４・・・光反射領域、３０６・・・内部領域、４０２・・・領域、４０４・・・領域、４０６・・・領域
【図１】
2018043465.tif 000003
【図２】
2018043465.tif 000004
【図３】
2018043465.tif 000005
【図４】
2018043465.tif 000006
【図５】
2018043465.tif 000007
【図６】
2018043465.tif 000008